(57)【特許請求の範囲】
【請求項１】
筐体に、空気を取り入れる吸込口と、高圧空気を発生するための羽根車と前記羽根車を駆動するためのモータで構成された高圧空気発生部と、前記筐体の一面から起立させた複数のノズルを備え、
前記ノズルは、前記高圧空気を吹き出す第一吹出口と第二吹出口とを備え、内部に前記第一吹出口と前記第二吹出口へ前記高圧空気を導くためのダクトを備えた筒体であって、
前記第一吹出口は、前記ノズルの側部において前記ノズルを起立させた方向に対して垂直方向に開口して備え、
前記ダクトは、前記垂直方向の断面が前記第一吹出口からの前記高圧空気の吹出方向に縦長であり、
複数の前記ノズルは、それぞれの前記第一吹出口が互いに同一面となるように、かつ間隙を設けて備えられ、
前記間隙によって、前記第一吹出口から吹出す空気に誘引される空気の誘引風路が形成されている送風装置であって、
前記第二吹出口を前記ノズルの最上部で前記ノズルを起立させた方向に開口して備え、
前記第二吹出口を開閉可能にしたルーバーを備えたことを特徴とする送風装置。
【請求項２】
筐体に、空気を取り入れる吸込口と、高圧空気を発生するための羽根車と前記羽根車を駆動するためのモータで構成された高圧空気発生部と、前記筐体の一面から起立させた複数のノズルを備え、
前記ノズルは、前記高圧空気を吹き出す第一吹出口と流出口とを備え、内部に前記第一吹出口と前記流出口へ前記高圧空気を導くためのダクトを備えた筒体であって、
複数の前記ノズルの上部に複数の前記流出口からの前記高圧空気を混合するチャンバー空間と、混合した前記高圧空気を吹出す第二吹出口を備え、
前記第一吹出口は、前記ノズルの側部において前記ノズルを起立させた方向に対して垂直方向に開口して備え、
前記ダクトは、前記垂直方向の断面が前記第一吹出口からの前記高圧空気の吹出方向に縦長であり、
複数の前記ノズルは、それぞれの前記第一吹出口が互いに同一面となるように、かつ間隙を設けて備えられ、
前記間隙によって、前記第一吹出口から吹出す空気に誘引される空気の誘引風路が形成
されている送風装置であって、
前記第二吹出口を前記チャンバー空間の最上部で前記ノズルを起立させた方向に開口して備え、
前記第二吹出口を開閉可能にしたルーバーを備えたことを特徴とする送風装置。
【請求項３】
複数の前記ノズルの起立方向の長さが同一であることを特徴とする請求項１または２に記載の送風装置。
【請求項４】
複数の前記第二吹出口の開口面積の合計が複数の前記ノズルの前記第一吹出口の開口面積の合計より大きいことを特徴とする請求項１乃至３いずれか一つに記載の送風装置。
【請求項５】
請求項１乃至４いずれか一つに記載の送風装置の前記吸込口に、空気浄化フィルタを備えたことを特徴とする送風機能付空気清浄装置。
【発明の詳細な説明】
【技術分野】
【０００１】
本発明は、居室内に設置され、直接気流による体感温度の減少や室内の空気の循環に使用される扇風機などの送風装置、および送風装置内に取り込む空気を浄化し、浄化された空気を気流として吹出すことで室内の空気を浄化、および直接気流による体感温度の減少や室内の空気の循環に使用される送風機能付空気清浄装置に関するものである。
【背景技術】
【０００２】
従来、この種の送風装置は、羽根車とモータを台座となる基部に内包して、基部上部に備えられた円環形状の送風部から床面と水平方向に吹出すようにして空気の循環及び空気の流れを生じさせる家庭用送風装置が知られている（例えば、特許文献１参照）。
【０００３】
以下、その送風装置について図１２および図１３を参照しながら説明する。
【０００４】
図１２には、送風機組立体１００をその正面から見た投影図を、図１３には、送風機組立体１００の断面投影図を示している。送風機組立体１００は、中央開口部１０２を画定する環状ノズル１０１を有している。環状ノズル１０１を通る空気流を生じさせるモータ１２２がモータハウジング１２６と共に基部１１６の内部に配置されている。さらに、インペラ（羽根車）１３０が、モータ１２２から外方に延びる回転シャフトに連結され、ディフューザ１３２が、インペラ１３０の下流側に位置決めされているモータ１２２は、電気接続部及び電源に接続され、複数個の選択ボタン１２０により、ユーザは、送風機組立体１００を操作することができる。
【０００５】
上記構成で、送風機組立体１００は、以下のように動作する。
【０００６】
ユーザが複数個の選択ボタン１２０の中から所望のボタンを選択してモータ１２２が起動されると、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。
【０００７】
空気流は、口１１２に入る際に絞られ、口１１２の出口１４４で更に絞られる。この絞りにより、システム中に圧力が生じる。
【０００８】
このように作られた空気流は、絞りにより生じる圧力に打ち勝ち、一次空気流として出口１４４を通って出る。一次空気流は、ガイド部分１４８の配置により、ユーザに向かって集中または集束して向けられる。二次空気流は、外部環境、特に出口１４４周りの領域及び環状ノズル１０１の外縁部周りからの空気の吸引によって生じる。この二次空気流は、中央開口部１０２を通り、ここで、一次空気流と混ざり合って送風機組立体１００から前方に放出される全空気流が生じる。
【先行技術文献】
【特許文献】
【０００９】
【特許文献１】特開２０１０−０７７９６９号公報
【発明の概要】
【発明が解決しようとする課題】
【００１０】
このような従来の送風装置では、一次空気流が出口から出ることにより、二次空気流は、外部環境、特に出口周りの領域及び環状ノズルの外縁部周りからの空気の吸引によって生じるものであるため、気流の方向は一次空気流の方向に限定される。このため、冬場などに室内の空気を循環させるために気流を天井方向に切り替えることができないという課題があった。
【００１１】
そこで本発明は、上記従来の課題を解決するものであり、直接気流に当たることによる涼感が得られ、また、気流の吹出方向を切り替えることで、室内の空気循環を実現できる送風装置、および送風機能付空気清浄装置を提供することを目的とする。
【課題を解決するための手段】
【００１２】
そして、この目的を達成するために、本発明は、筐体に、空気を取り入れる吸込口と、高圧空気を発生するための羽根車と羽根車を駆動するためのモータで構成された高圧空気発生部と、筐体の一面から起立させた複数のノズルを備え、ノズルは、高圧空気を吹き出す第一吹出口と第二吹出口とを備え、内部に第一吹出口と第二吹出口へ高圧空気を導くためのダクトを備えた筒体であって、第一吹出口は、ノズルの側部においてノズルを起立させた方向に対して垂直方向に開口して備え、ダクトは、垂直方向の断面が第一吹出口からの高圧空気の吹出方向に縦長であり、複数のノズルは、それぞれの第一吹出口が互いに同一面となるように、かつ間隙を設けて備えられ、間隙によって、第一吹出口から吹出す空気に誘引される空気の誘引風路が形成されている送風装置であって、第二吹出口をノズルの最上部でノズルを起立させた方向に開口して備え、第二吹出口を開閉可能にしたルーバーを備えたことを特徴とする送風装置としたものであり、これにより所期の目的を達成するものである。
【００１３】
また、筐体に、空気を取り入れる吸込口と、高圧空気を発生するための羽根車と羽根車を駆動するためのモータで構成された高圧空気発生部と、筐体の一面から起立させた複数のノズルを備え、ノズルは、高圧空気を吹き出す第一吹出口と流出口とを備え、内部に第一吹出口と流出口へ高圧空気を導くためのダクトを備えた筒体であって、複数のノズルの上部に複数の流出口からの高圧空気を混合するチャンバー空間と、混合した高圧空気を吹出す第二吹出口を備え、第一吹出口は、ノズルの側部においてノズルを起立させた方向に対して垂直方向に開口して備え、ダクトは、垂直方向の断面が第一吹出口からの高圧空気の吹出方向に縦長であり、複数のノズルは、それぞれの第一吹出口が互いに同一面となるように、かつ間隙を設けて備えられ、間隙によって、第一吹出口から吹出す空気に誘引される空気の誘引風路が形成されている送風装置であって、第二吹出口をチャンバー空間の最上部でノズルを起立させた方向に開口して備え、第二吹出口を開閉可能にしたルーバーを備えたことを特徴とする送風装置としたものであり、これにより所期の目的を達成するものである。
【発明の効果】
【００１４】
本発明によれば、筐体に、空気を取り入れる吸込口と、高圧空気を発生するための羽根車と羽根車を駆動するためのモータで構成された高圧空気発生部と、筐体の一面から起立させた複数のノズルを備え、ノズルは、高圧空気を吹き出す第一吹出口と第二吹出口とを備え、内部に第一吹出口と第二吹出口へ高圧空気を導くためのダクトを備えた筒体であって、第一吹出口は、ノズルの側部においてノズルを起立させた方向に対して垂直方向に開口して備え、ダクトは、垂直方向の断面が第一吹出口からの高圧空気の吹出方向に縦長であり、複数のノズルは、それぞれの第一吹出口が互いに同一面となるように、かつ間隙を設けて備えられ、間隙によって、第一吹出口から吹出す空気に誘引される空気の誘引風路が形成されている送風装置であって、第二吹出口をノズルの最上部でノズルを起立させた方向に開口して備え、第二吹出口を開閉可能にしたルーバーを備えたことを特徴とする送風装置としたことにより、直接気流に当たることによる涼感が得られ、また、ノズルを起立させた方向の気流の吹出しを加えることで、室内の空気循環を実現できる。
【００１５】
また、筐体に、空気を取り入れる吸込口と、高圧空気を発生するための羽根車と羽根車を駆動するためのモータで構成された高圧空気発生部と、筐体の一面から起立させた複数のノズルを備え、ノズルは、高圧空気を吹き出す第一吹出口と流出口とを備え、内部に第一吹出口と流出口へ高圧空気を導くためのダクトを備えた筒体であって、複数のノズルの上部に複数の流出口からの高圧空気を混合するチャンバー空間と、混合した高圧空気を吹出す第二吹出口を備え、第一吹出口は、ノズルの側部においてノズルを起立させた方向に対して垂直方向に開口して備え、ダクトは、垂直方向の断面が第一吹出口からの高圧空気の吹出方向に縦長であり、複数のノズルは、それぞれの第一吹出口が互いに同一面となるように、かつ間隙を設けて備えられ、間隙によって、第一吹出口から吹出す空気に誘引される空気の誘引風路が形成されている送風装置であって、第二吹出口をチャンバー空間の最上部でノズルを起立させた方向に開口して備え、第二吹出口を開閉可能にしたルーバーを備えたことを特徴とする送風装置としたことにより、直接気流に当たることによる涼感が得られ、また、ノズルを起立させた方向の気流の吹出しを加えることで、室内の空気循環を実現できる。
【図面の簡単な説明】
【００１６】
【図１】本発明の前提例１の送風機能付空気清浄装置の斜視図
【図２】同前提例１の送風装置の断面を示す構成図
【図３】同前提例の送風装置の断面を示す構成図
【図４】同前提例１の送風装置の断面を示す構成図
【図５】本発明の実施の形態１の送風機能付空気清浄装置の斜視図（ルーバーを閉じた状態を示す図）
【図６】同実施の形態１の送風装置のルーバーを閉じた状態での断面図（図５における断面Ａ１を示す図）
【図７】同実施の形態１の送風装置のルーバーを閉じた状態での断面図（図５における断面Ｂを示す図）
【図８】同実施の形態１の送風装置のルーバー開けた状態での断面図（図５におけるＡ２を示す図）
【図９】同実施の形態１の送風機能付空気清浄装置のルーバー開けた状態を示す斜視図
【図１０】同発明の実施の形態２の送風装置の斜視図
【図１１】同実施の形態２の送風装置の斜視図
【図１２】従来技術の一例を示す正面図
【図１３】従来技術の一例を示す断面図
【発明を実施するための形態】
【００１７】
本発明に係る送風装置は、筐体に、空気を取り入れる吸込口と、高圧空気を発生するための羽根車と羽根車を駆動するためのモータで構成された高圧空気発生部と、筐体の一面から起立させた複数のノズルを備え、ノズルは、高圧空気を吹き出す第一吹出口と第二吹出口とを備え、内部に第一吹出口と第二吹出口へ高圧空気を導くためのダクトを備えた筒体であって、第一吹出口は、ノズルの側部においてノズルを起立させた方向に対して垂直方向に開口して備え、ダクトは、垂直方向の断面が第一吹出口からの高圧空気の吹出方向
に縦長であり、複数のノズルは、それぞれの第一吹出口が互いに同一面となるように、かつ間隙を設けて備えられ、間隙によって、第一吹出口から吹出す空気に誘引される空気の誘引風路が形成されている送風装置であって、第二吹出口を前記ノズルの上部でノズルを起立させた方向に開口して備え、第二吹出口を開閉可能にしたルーバーを備えたことを特徴とするものである。
【００１８】
これにより、第二吹出口に備えたルーバーを閉じた状態では直接気流に当たることによる涼感が得られ、また、ルーバーを開くことでノズルを起立させた方向への気流の吹出しが加えられるため、室内空気の循環を実現することができる。
【００１９】
ルーバーを閉じた状態では、間隙を設けて複数のノズルを備えているため、複数の第一吹出口から吹出された高圧空気と、第一吹出口からの高圧空気の吹出しにより誘引される空気からなる気流を広範囲に略均一な風速の気流とすることができる。加えて、第一吹出口を面一としているので、送風装置全体から吹出す気流は、面気流となる。この面気流は広範囲に略均一な風速の、吹出方向に直線的な気流のため、面気流の中心部にコア領域が形成されるため直進性に優れ、遠方まで風速の減衰が少なく到達することができる。
【００２０】
また、ルーバーを開いた状態では、間隙を設けて複数のノズルが備えられているため、複数の第二吹出口から吹出された高圧空気に加え、第二吹出口からの高圧空気に誘引空気が加わることで天井方向の気流を増幅することができ、ノズルを起立させた方向への循環気流を効率よく生み出すことができる。
【００２１】
すなわち、誘引風路はルーバーが閉じている際には第一吹出口からの高圧空気の吹出し空気に誘引される空気の誘引風路となり、ルーバーが開いている際には、第二吹出口からの高圧空気の吹出し空気に誘引される空気の誘引風路として機能するものである。また、ルーバーの角度により循環気流の方向を調整することが可能なため、室内の形状に応じて最適な循環気流を生み出すことができる。
【００２２】
ここで、複数のノズルとは３本以上のことを示し、略均一な風速とは最大風速の半分までの風速を示し、高圧空気とは大気圧以上の空気を示すものとする。なお、間隙の長さとしては、ノズルの垂直方向の断面における吹出方向と垂直方向の長さ以上、ノズルの起立方向長さの半分以下が風速の均一性を得られるため好ましい。なお、ルーバーが開いた状態においても、一部の高圧空気は複数の第一吹出口から吹出すものである。
【００２３】
また、本発明に係る別の送風装置は、筐体に、空気を取り入れる吸込口と、高圧空気を発生するための羽根車と羽根車を駆動するためのモータで構成された高圧空気発生部と、筐体の一面から起立させた複数のノズルを備え、ノズルは、高圧空気を吹き出す第一吹出口と流出口とを備え、内部に第一吹出口と流出口へ高圧空気を導くためのダクトを備えた筒体であって、複数のノズルの上部に複数の流出口からの高圧空気を混合するチャンバー空間と、混合した高圧空気を吹出す第二吹出口を備え、第一吹出口は、ノズルの側部においてノズルを起立させた方向に対して垂直方向に開口して備え、ダクトは、垂直方向の断面が第一吹出口からの高圧空気の吹出方向に縦長であり、複数のノズルは、それぞれの第一吹出口が互いに同一面となるように、かつ間隙を設けて備えられ、間隙によって、第一吹出口から吹出す空気に誘引される空気の誘引風路が形成されている送風装置であって、第二吹出口をチャンバー空間の上部でノズルを起立させた方向に開口して備え、第二吹出口を開閉可能にしたルーバーを備えたことを特徴とするものである。
【００２４】
これにより、第二吹出口に備えたルーバーを閉じた状態では直接気流に当たることにより涼感を得られ、また、ルーバーを開くことでノズルを起立させた方向への気流の吹出しが加えられるため、室内の空気循環を実現することができる。
【００２５】
ルーバーを閉じた状態では、間隙を設けて複数のノズルが備えられているため、複数の第一吹出口から吹出された高圧空気と、第一吹出口からの高圧空気の吹出しにより誘引される空気からなる気流を広範囲に略均一な風速の気流とすることができる。加えて、第一吹出口を面一とすることで、送風装置全体から吹出す気流は面気流となる。この面気流は広範囲に略均一な風速の、吹出方向に直線的な気流のため、面気流の中心部にコア領域が形成されるため直進性に優れ、遠方まで風速の減衰が少なく到達することができる。
【００２６】
また、ルーバーを開いた状態では、複数のダクトを通過した高圧空気がチャンバー空間で混合され、まとまった状態で第二吹出口から吹出されため、吹出し気流の中心部にコア領域が形成される。このため直進性に優れ、遠方まで風速の減衰が少なく到達することができるため、循環気流としてノズルを起立させた方向への気流を効率よく生み出すことができる。
【００２７】
また、ルーバーの角度を調節すれば、循環気流の方向を調整することも可能となり、室内の形状に応じて最適な循環気流を生み出すことが期待できる。
【００２８】
ここで、複数のノズルとは、３本以上のことを示し、略均一な風速とは最大風速の半分までの風速を示し、高圧空気とは、大気圧以上の空気を示すものとする。なお、間隙の長さとしては、ノズルの垂直方向の断面における吹出方向と垂直方向の長さ以上、ノズルの起立方向長さの半分以下が風速の均一性を得られるため好ましい。なお、ルーバーが開いた状態においても、一部の高圧空気は複数の第一吹出口から吹出すものである。
【００２９】
また、本発明に係る送風装置は、複数のノズルの起立方向の長さが同一であることを特徴とするものである。
【００３０】
これにより、ルーバーを閉じた状態では、複数のノズルが並んでいる方向の風速の均一性に加え、ノズルの起立方向に対してもすべてのノズルから放出する気流を略均一にできるため、広範囲に略均一な風速の面気流を提供することができる。また、面気流は広範囲に略均一な風速の、吹出方向に直線的な気流のため、面気流の中心部にコア領域が形成されるため直進性に優れ、遠方まで風速の減衰が少なく到達することができる。
【００３１】
また、ルーバーを開いた状態では、複数の第二吹出口の位置がノズルの起立方向に対して同一となるため、第二吹出口からの高圧空気の吹出しにより誘引風路の空気を効率よく誘引することができ、第二吹出口からの高圧空気に誘引空気が加わることでノズルの起立方向の気流を増幅することができ、循環気流を効率よく生み出すことができる。
【００３２】
また、本発明に係る送風装置は、複数の第二吹出口の開口面積の合計が複数のノズルの第一吹出口の開口面積の合計より大きいことを特徴とするものである。
【００３３】
これにより、ルーバーを開いた状態において、複数の第二吹出口の開口面積の合計の方が複数のノズルの第一吹出口の開口面積の合計より大きいため、第二吹出し口全体空気抵抗は第一吹出し口全体の空気抵抗よりも小さく、高圧空気は空気抵抗の少ない第二吹出口から多く吹出すことになり、ノズルの起立方向へ優先的に気流が吹出され、効率よく循環気流を生み出すことができる。
【００３４】
また、本発明に係る送風機能付空気清浄装置は、送風装置の吸込口に、空気浄化フィルタを備えたことを特徴とするものである。
【００３５】
これにより、吸込口から取り込まれた空気は空気浄化フィルタにより浄化され吹出口から吹出されるため、使用者に浄化された空気を提供することができる。
【００３６】
以下、本発明の実施の形態について図面を参照しながら説明する。まずは、前提例について説明をする。
【００３７】
（前提例１）
図１は斜視図を、図２は図１における断面Ａの断面図、図３は図１における断面Ｂの断面図、図４は図１における断面Ｃでの断面図を示す。
【００３８】
送風装置として、本実施の形態の送風機能付空気清浄装置１１は、図１に示すように筐体１２の上部にノズル１３を備えたものである。
【００３９】
送風機能付空気清浄装置１１は、図２に示すように、筐体１２に空気を取り入れる吸込口１４と、吸込口１４に装着し取り入れた空気を浄化する空気浄化フィルタ１５と、図３に示すように、高圧空気を発生するための羽根車１６と羽根車１６を駆動するためのファン駆動モータ１７で構成された高圧空気発生部１８と、筐体１２の一面から起立させた複数の等しい長さのノズル１３（本実施形態では６個）とを備えている。本実施の形態では、筐体１２の上面から起立させている。
【００４０】
ノズル１３の側部には、図２に示すように、ノズル１３を起立させた方向に対して垂直方向である一方向に高圧空気発生部１８で発生した高圧空気を吹出す吹出口９を備えている。ノズル１３の内部には、高圧空気を吹出口９に導くためのダクト２０を備えている。ダクト２０は、少なくともノズル１３と同数備えている。
【００４１】
また、図３に示すように、高圧空気発生部１８と複数のダクト２０の間には高圧空気を各ノズルに分流する高圧空気分配部２１が備えられている。
【００４２】
ノズル１３は、図４に示すように、垂直方向の断面が吹出方向に縦長である。複数のノズル１３は、それぞれの吹出口９が同一面となるように間隙を設けて備えられ、この間隙によって、吹出口９から吹出す気流に誘引される空気の誘引風路２２が形成されている。つまり、本実施の形態の例ではノズル１３を６本設けているので、ノズル１３に挟まれた空隙にそれぞれ誘引風路２２がノズル１３の数より少ない５本形成できる。なお、前記間隙の長さとしては、ノズル１３の垂直方向の断面における吹出方向に対して垂直方向の長さ（ノズル１３の幅）以上、ノズル１３の筐体１２上面からの起立方向の長さの半分以下が風速の均一性を得られるため好ましく、本実施の形態では、一例としてノズル１３の幅が３０ｍｍ、ノズル１３の起立方向長さが６００ｍｍ、間隙の長さが１００ｍｍ、ノズル１３の吹出方向長さが２００ｍｍの場合を示している。また本実施の形態では、ノズル１３の垂直方向の断面形状は、長方形形状としたが、吹出し方向に縦長であればよく、楕円など別の形状でもよい。また、空気浄化フィルタ１５には、既知の集塵フィルタや活性炭などの脱臭フィルタを用いることができる。この空気浄化フィルタ１５を通過した空気は、ほこりや花粉、アレルギー物質などが取り除かれた浄化空気となり羽根車１６に供給される。
【００４３】
また、複数のノズル１３は、図４に示すように、筐体１２の中央から外側に設けられたノズル１３に向かうにつれて、中央のノズル１３に対して空気の吹出し方向が離れていくように広角に備えられている。
【００４４】
図２に示すように、ノズル１３内の吹出口９近傍にはノズル１３の起立方向の風向を調整する風向調整リブ２４が備えられている。ここで、複数のノズル１３とは３本以上のことを示す。また、風速の均一性とは後述する吹出空気流２５と誘引空気流２６が合流した面気流の風速の分布に着目したもので、吹出口９から所定の距離を離れて正面視する平面において観測される風速の分布が、所定の範囲であることを示す。つまり前記平面での最小の風速が少なくとも最大風速の半分までは許容でできることとしている。また、高圧空気とは大気圧以上の空気を示すものとする。
【００４５】
このような構成によれば、送風機能付空気清浄装置１１が稼動すると、ファン駆動モータ１７が駆動し、羽根車１６が回転することにより、内部流れ２３に示すように、室内空気は、吸込口１４から送風機能付空気清浄装置１１内部に取り込まれ、空気浄化フィルタ１５で埃やにおいなどの汚れを浄化された後、羽根車１６を通過し高圧空気分配部２１に至る。高圧空気分配部２１で高圧空気は複数のダクト２０に分流され、各ダクト２０を通過し、吹出口９近傍に設けられた風向調整リブ２４でノズル１３起立方向の風向を調整され、吹出口９から吹出し、吹出空気流２５となる。
【００４６】
つまり、図１のように吹出空気流２５により、誘引風路２２と最外部のノズル１３の外側の空気が誘引され、誘引空気流２６となる。これら吹出空気流２５と誘引空気流２６が送風機能付空気清浄装置１１の吹出方向前方で合流し、広範囲に略均一な風速の浄化された空気の面気流を送風できるものである。このとき、羽根車１６は筐体１２内に内包されているため、使用者が外部から接触できない構造となっているため、接触による不安感をなくすことができる。
【００４７】
また、吹出口９を面一となるようにノズル１３は間隙を設けて配置することで、吹出す気流は面気流となる。
【００４８】
面気流は、広範囲に略均一な風速の気流で、吹出方向に直線的な気流のため、面気流の中心部にコア領域が形成される。よって、直進性に優れ、遠方まで風速の減衰が少なく到達することができる。
【００４９】
また、面気流は広範囲に略均一な風速の気流で、吹出方向に直線的な気流のため、面気流の中心部にコア領域が形成される。つまり、遠方に向かうにつれ中心部の風速が大きくなる風速分布となることもある。このため、ノズル１３は、筐体１２中央から外側に設けられたノズル１３に向かうにつれて、中央のノズル１３に対して空気の吹出し方向が離れていくように広角に備えることで中心部に気流が集まるのを抑制できる。これにより、より遠方まで略均一な風速の気流を送ることができる。
【００５０】
また、風向調整リブ２４は仰角を調整することでノズル１３の起立方向の風向を広げることができるため、ノズル１３の起立方向長さより広範囲に送風することができる。すなわち、送風機能付空気清浄装置１１高さよりも上方にも送風することができる。
【００５１】
なお、本実施の形態では、空気浄化フィルタ１５を備えた送風機能付空気清浄装置１１の形態を説明した。空気浄化フィルタ１５は、送風装置としては必須ではない。
【００５２】
（実施の形態１）
送風装置１０は、図５に示すように、送風機能付空気清浄装置である。以下、図５から図９を参照しながら、送風機能付空気清浄装置１１として説明する。
【００５３】
送風機能付空気清浄装置１１の特徴は、図５に示すように、筐体１２の上部にノズル１３を備え、ノズル１３の最上部（ノズル１３の天面）に第二吹出口２７を備えたものである。さらに、ルーバー２８を備え、ルーバーの回動によって第二吹出口２７を開閉するものである。
【００５４】
ノズル１３は、筐体１２の一面から起立させた複数（本実施形態では６個）長さの等しいものである。なお、複数のノズル１３とは３本以上のことを示す。
【００５５】
また、後述する第一吹出口１９は、前提例１の吹出口９と同一のものである。本実施の形態の第二吹出口２７と区別をするために別の符号を付している。
【００５６】
送風機能付空気清浄装置１１は、図６に示す、筐体１２に空気を取り入れる吸込口１４と、吸込口１４に装着し取り入れた空気を浄化する空気浄化フィルタ１５と、図７に示す、高圧空気を発生するための羽根車１６と羽根車１６を駆動するためのファン駆動モータ１７とで構成された高圧空気発生部１８と、を備えている。
【００５７】
ノズル１３の側部には、図６に示すように、ノズル１３を起立させた方向に対して垂直方向（図６の左方向）である一方向に高圧空気発生部１８で発生した高圧空気を吹出す第一吹出口１９を備えている。ノズル１３の内部には、高圧空気を第一吹出口１９に導くためのダクト２０を備えている。ダクト２０は、少なくともノズル１３内に一つ備えている。
【００５８】
また、図６、７に示すように、高圧空気発生部１８と複数のダクト２０の間には高圧空気を各ノズルに分流する高圧空気分配部２１が備えられている。
【００５９】
ノズル１３は、前記垂直方向の断面が吹出方向に縦長である。
【００６０】
複数のノズル１３は、図５に示すように、それぞれの第一吹出口１９が同一面となるように間隙を設けて備えられ、この間隙によって、第一吹出口１９から吹出す気流に誘引される空気の誘引風路２２が形成されている。本実施の形態の例ではノズル１３を６本設けているので、ノズル１３に挟まれた空隙にそれぞれ誘引風路２２がノズル１３の数より少ない５本形成できる。なお、前記間隙の長さとしては、ノズル１３の垂直方向の断面における吹出方向に対して垂直方向の長さ（ノズル１３の幅）以上、ノズル１３の筐体１２上面からの起立方向の長さの半分以下が風速の均一性を得られるため好ましく、本実施の形態では、一例としてノズル１３の幅が３０ｍｍ、ノズル１３の起立方向長さが６００ｍｍ、間隙の長さが１００ｍｍ、ノズル１３の吹出方向長さが２００ｍｍの場合を示している。
【００６１】
図６に示すように、ノズル１３内の第一吹出口１９近傍には、ノズル１３の起立方向の気流を直角方向で仰角を調整する風向調整リブ２４が備えられている。
【００６２】
また、送風機能付空気清浄装置１１は、図８に示すように、ノズル１３の最上部（ノズル１３の天面）に設けられているルーバー２８を、回転軸２９を軸に回転させてノズル１３の上部の第二吹出口２７を開放することができる。
【００６３】
また、複数の第二吹出口２７の開口面積の合計が、複数のノズル１３の第一吹出口１９の開口面積の合計より大きく備えられている。
【００６４】
また、複数のノズル１３は、筐体１２の中央から外側に設けられたノズル１３に向かうにつれて、中央のノズル１３に対して空気の吹出し方向が離れていくように広角に備えられている。
【００６５】
このような構成によれば、ルーバー２８を閉じた状態では、送風機能付空気清浄装置１１が稼動すると、ファン駆動モータ１７が駆動し、羽根車１６が回転することにより、図６に示す内部流れ２３が発生して、室内空気は、吸込口１４から送風機能付空気清浄装置１１内部に取り込まれ、空気浄化フィルタ１５で埃やにおいなどの汚れを浄化された後、羽根車１６を通過し高圧空気分配部２１に至る。高圧空気分配部２１で高圧空気は複数のダクト２０に分流され、各ダクト２０を通過し、第一吹出口１９近傍に設けられた風向調整リブ２４でノズル１３起立方向の風向を調整され、第一吹出口１９から吹出し、吹出空気流２５となる。
【００６６】
つまり、図５のように吹出空気流２５により、誘引風路２２と最外部のノズル１３の外側の空気が誘引され、誘引空気流２６となる。これら吹出空気流２５と誘引空気流２６が送風機能付空気清浄装置１１の吹出方向前方で合流し、広範囲に略均一な風速の浄化された空気の面気流を送風できるものである。このとき、羽根車１６は筐体１２内に内包されているため、使用者が外部から接触できない構造となっているため、接触による不安感をなくすことができる。
【００６７】
また、第一吹出口１９を面一となるようにノズル１３は間隙を設けて配置することで、吹出す気流は面気流となる。
【００６８】
面気流は、広範囲に略均一な風速の気流で、吹出方向に直線的な気流のため、面気流の中心部にコア領域が形成される。よって、直進性に優れ、遠方まで風速の減衰が少なく到達することができる。
【００６９】
また、面気流は広範囲に略均一な風速の気流で、吹出方向に直線的な気流のため、面気流の中心部にコア領域が形成される。つまり、遠方に向かうにつれ中心部の風速が大きくなる風速分布となることもある。このため、ノズル１３は、筐体１２中央から外側に設けられたノズル１３に向かうにつれて、中央のノズル１３に対して空気の吹出し方向が離れていくように広角に備えることで中心部に気流が集まるのを抑制できる。これにより、より遠方まで略均一な風速の気流を送ることができる。
【００７０】
また、風向調整リブ２４を備えて仰角を調整することでノズル１３の起立方向の風向を広げることができるため、ノズル１３の起立方向長さより広範囲に送風することができる。すなわち、送風機能付空気清浄装置１１高さよりも上方にも送風することができる。
【００７１】
また、ルーバー２８を開けた状態では、送風機能付空気清浄装置１１が稼動すると、ファン駆動モータ１７が駆動し、羽根車１６が回転することにより、図８（後述する図９における断面Ａ２）に示す内部流れ２３が発生して、室内空気は、吸込口１４から送風機能付空気清浄装置１１内部に取り込まれ、空気浄化フィルタ１５で埃やにおいなどの汚れを浄化された後、羽根車１６を通過し高圧空気分配部２１に至る。高圧空気は、高圧空気分配部２１で複数のダクト２０に分流され、各ダクト２０を通過し、一部の高圧空気は、第一吹出口１９近傍に設けられた風向調整リブ２４の作用によってノズル１３起立方向の風向を調整され、第一吹出口１９から吹出し、吹出空気流２５となる。しかし、大部分の高圧空気は、第二吹出口２７から吹出し、上方への吹出空気流３５となる。なお、大部分の高圧空気とは、全高圧空気量の６割以上のことを示す。
【００７２】
つまり、図９のように第二吹出口２７から吹出す上方への吹出空気流３５により、誘引風路２２と最外部のノズル１３の外側の空気が誘引され、誘引空気流２６となる。これら上方への吹出空気流３５と誘引空気流２６が送風機能付空気清浄装置１１の第二吹出口２７からの吹出方向前方で合流するため、ノズル１３を起立させた方向への循環気流を効率よく生み出すことができる。すなわち、誘引風路２２は、ルーバー２８が閉じている際には第一吹出口１９からの高圧空気の吹出し空気に誘引される空気の誘引風路２２となり、ルーバー２８が開いている際には、第二吹出口２７からの高圧空気の吹出し空気に誘引される空気の誘引風路２２として機能するものである。
【００７３】
また、複数の第二吹出口２７の位置がノズル１３の起立方向に対して同一となるため、第二吹出口２７からの高圧空気の吹出しにより誘引風路２２の空気を効率よく誘引することができ、第二吹出口２７からの高圧空気に誘引空気が加わることでノズル１３を起立させた方向の気流を増幅することができ、ノズル１３を鉛直上方へ起立させた場合には、室内の天井方向への循環気流を効率よく生み出すことが期待できる。
【００７４】
また、ルーバーの角度を調節すれば、循環気流の方向を調整することも可能となり、室内の形状に応じて最適な循環気流を生み出すことが期待できる。
【００７５】
また、ルーバー２８を開いた状態において複数の第二吹出口２７の開口面積の合計の方が複数のノズル１３の第一吹出口１９の開口面積の合計より大きくしているため、高圧空気は、空気抵抗の少ない第二吹出口２７から多く吹出すことになり、効率よくノズル１３を起立させた方向の循環気流を生み出すことができる。
【００７６】
なお、本実施の形態では、ノズル１３の垂直方向の断面形状は、長方形形状としたが、吹出し方向に縦長であればよく、楕円など別の形状でもよい。また、空気浄化フィルタ１５には、既知の集塵フィルタや活性炭などの脱臭フィルタを用いることができる。この空気浄化フィルタ１５を通過した空気は、ほこりや花粉、アレルギー物質などが取り除かれた浄化空気となり羽根車１６に供給される。
【００７７】
また、本実施の形態では、空気浄化フィルタ１５を備えた送風機能付空気清浄装置１１での形態を説明した。本実施の形態では、空気浄化フィルタ１５は、必須ではない。
（実施の形態２）
図１０、図１１に送風装置３１の斜視図を示す。なお、前提例１および実施の形態１と同様の構成要素については同一の符号を付し、その詳細な説明は省略する。
【００７８】
図１０に示すように、送風装置３１は、図５と同様な複数のノズル１３の上部をチャンバー空間３３で繋いでおり、複数の誘引風路２２はそれぞれ独立した構成となっている。図１１に示すように、チャンバー空間３３は、複数のノズル１３の上部に備えられた複数の流出口３２と連通しており、最上部に第二吹出口２７と、第二吹出口２７を開閉するルーバー２８、ルーバー２８の回転軸２９を軸として回転駆動するルーバー駆動モータ３４を備えている。
【００７９】
室内に設置した空気調和装置等から吹付けられた空気が誘引風路２２に対して外乱となる恐れがある。
【００８０】
このような構成によれば、ルーバー２８を閉じた状態では、チャンバー空間３３によりノズル１３の上方から吹き付けられる気流を遮ることができるので、安定して面気流を発生させることができる。なお、面気流は、広範囲に略均一な風速の気流で、吹出方向に直線的な気流のため、面気流の中心部にコア領域が形成されるため直進性に優れ、遠方まで風速の減衰が少なく到達することができるものである。
【００８１】
また、ルーバー２８を開けた状態では、複数の流出口３２を通過した高圧空気がチャンバー空間３３内で混合され、まとまった状態で第二吹出口２７から吹出されため、吹出し気流の中心部にコア領域が形成される。これにより直進性に優れ、遠方まで風速の減衰が少なく到達することができるため、ノズル１３を起立させた方向への循環気流を効率よく生み出すことができる。なお、ノズル１３を鉛直上方へ起立させた場合には、室内の天井方向への循環気流を効率よく生み出すことが期待できる。
【００８２】
また、羽根車１６を筐体１２で内包することで使用者の接触による不安感をなくしつつ、広範囲に略均一な風速の気流を提供することができる。
【００８３】
さらに、ルーバーの角度を調節すれば、循環気流の方向を調整することも可能となり、室内の形状に応じて最適な循環気流を生み出すことが期待できる。
【００８４】
なお、本実施の形態の送風装置３１は、吸込口１４に取り入れた空気を浄化する空気浄化フィルタ１５を装着することで送風機能付空気清浄装置とすることもできる。
【産業上の利用可能性】
【００８５】
本発明にかかる送風装置および送風機能付空気清浄装置は、羽根車を内包することで使用者の接触による不安感をなくしつつ、広範囲に略均一な風速の気流を提供でき、また気流の吹出方向を切り替えることで容易に循環気流を提供することができるため、居室内の床や壁に設置され、直接気流による体感温度の減少や室内の空気の循環に使用される各種送風機器等として有用である。
【符号の説明】
【００８６】
９    吹出口
１０    送風装置
１１    送風機能付空気清浄装置
１２    筐体
１３    ノズル
１４    吸込口
１５    空気浄化フィルタ
１６    羽根車
１７    ファン駆動モータ
１８    高圧空気発生部
１９    第一吹出口
２０    ダクト
２１    高圧空気分配部
２２    誘引風路
２３    内部流れ
２４    風向調整リブ
２５    吹出空気流
２６    誘引空気流
２７    第二吹出口
２８    ルーバー
２９    回転軸
３１    送風装置
３２    流出口
３３    チャンバー空間
３４    ルーバー駆動モータ
３５    上方への吹出空気流
１００    送風機組立体
１０１    環状ノズル
１０２    中央開口部
１１０    内部通路
１１２    口
１１６    基部
１１８    外側ケーシング
１２０    選択ボタン
１２２    モータ
１２４    空気入口
１２６    モータハウジング
１３０    インペラ
１３２    ディフューザ
１３４    入口
１３６    出口
１４４    出口
１４８    ガイド部分
【図１】
0006650562.tif 000002
【図２】
0006650562.tif 000003
【図３】
0006650562.tif 000004
【図４】
0006650562.tif 000005
【図５】
0006650562.tif 000006
【図６】
0006650562.tif 000007
【図７】
0006650562.tif 000008
【図８】
0006650562.tif 000009
【図９】
0006650562.tif 000010
【図１０】
0006650562.tif 000011
【図１１】
0006650562.tif 000012
【図１２】
0006650562.tif 000013
【図１３】
0006650562.tif 000014